(57)【要約】【課題】好適な輝度で画像が表示されるように表示対象の輝度レンジを設定する操作を行いやすくする技術を提供する。【解決手段】本発明の制御装置は、表示対象の輝度レンジを設定するためのグラフィカルユーザーインターフェース画像を表示手段に表示する制御手段と、入力画像データに付加された情報であり、且つ、前記入力画像データによって表された入力画像の上限輝度または最大輝度に関する情報である付加情報を取得する取得手段と、を備え、前記制御手段は、前記付加情報に基づく輝度を識別可能な前記グラフィカルユーザーインターフェース画像を前記表示手段に表示することを特徴とする。【選択図】図１
2020127068.tif 000002
【特許請求の範囲】
【請求項１】
表示対象の輝度レンジを設定するためのグラフィカルユーザーインターフェース画像を表示手段に表示する制御手段と、
入力画像データに付加された情報であり、且つ、前記入力画像データによって表された入力画像の上限輝度または最大輝度に関する情報である付加情報を取得する取得手段と、を備え、
前記制御手段は、前記付加情報に基づく輝度を識別可能な前記グラフィカルユーザーインターフェース画像を前記表示手段に表示する
ことを特徴とする制御装置。
【請求項２】
前記付加情報は、前記入力画像の上限輝度を示し、
前記制御手段は、前記入力画像の上限輝度を識別可能な前記グラフィカルユーザーインターフェース画像を前記表示手段に表示する
ことを特徴とする請求項１に記載の制御装置。
【請求項３】
付加情報は、前記入力画像の最大輝度と、前記入力画像の編集で使用されたモニターの上限表示輝度とを示す
ことを特徴とする請求項１に記載の制御装置。
【請求項４】
前記入力画像の切り替わりによる前記入力画像の最大輝度の変化の大きさに応じて、前記入力画像の最大輝度または前記モニターの上限表示輝度を選択し、選択した輝度を用いて、前記付加情報に基づく輝度を決定する決定手段、をさらに備える
ことを特徴とする請求項３に記載の制御装置。
【請求項５】
前記決定手段は、
前記入力画像の最大輝度の変化が閾値よりも大きい場合に、前記モニターの上限表示輝度を選択し、
前記入力画像の最大輝度の変化が閾値よりも小さい場合に、前記入力画像の最大輝度を選択する
ことを特徴とする請求項４に記載の制御装置。
【請求項６】
前記決定手段は、前記付加情報に基づく輝度の変化が低減されるように前記選択した輝度を補正して、前記付加情報に基づく輝度を決定する
ことを特徴とする請求項４または５に記載の制御装置。
【請求項７】
前記制御手段は、前記付加情報に基づく輝度よりも高い輝度までの特定の輝度レンジを示す前記グラフィカルユーザーインターフェース画像を前記表示手段に表示し、
前記グラフィカルユーザーインターフェース画像において、
前記付加情報に基づく輝度よりも低い第１の輝度レンジは、前記第１の輝度レンジにおける各輝度が前記表示対象の輝度レンジの最大輝度として選択可能であるように示され、
前記付加情報に基づく輝度よりも高い第２の輝度レンジは、前記第２の輝度レンジにおける各輝度が前記表示対象の輝度レンジの最大輝度として選択不可能であるように示される
ことを特徴とする請求項１〜６のいずれか１項に記載の制御装置。
【請求項８】
前記制御手段は、前記付加情報に基づく輝度よりも高い輝度までの特定の輝度レンジを示す前記グラフィカルユーザーインターフェース画像を前記表示手段に表示し、
前記グラフィカルユーザーインターフェース画像において、
前記特定の輝度レンジは、前記特定の輝度レンジにおける各輝度が前記表示対象の輝度レンジの最大輝度として選択可能であるように示され、
前記付加情報に基づく輝度が示された位置に、アイテムが描かれる
ことを特徴とする請求項１〜６のいずれか１項に記載の制御装置。
【請求項９】
前記制御手段は、前記付加情報に基づく輝度までの特定の輝度レンジを示す前記グラフィカルユーザーインターフェース画像を前記表示手段に表示する
ことを特徴とする請求項１〜６のいずれか１項に記載の制御装置。
【請求項１０】
前記グラフィカルユーザーインターフェース画像は、前記特定の輝度レンジを示すスクロールバーである
ことを特徴とする請求項７〜９のいずれか１項に記載の制御装置。
【請求項１１】
前記制御手段は、
予め定められた複数の輝度に前記付加情報に基づく輝度が含まれている場合に、前記予め定められた複数の輝度を示す前記グラフィカルユーザーインターフェース画像を前記表示手段に表示し、
前記予め定められた複数の輝度に前記付加情報に基づく輝度が含まれていない場合に、前記予め定められた複数の輝度と、前記付加情報に基づく輝度とを示す前記グラフィカルユーザーインターフェース画像を前記表示手段に表示する
ことを特徴とする請求項１〜６のいずれか１項に記載の制御装置。
【請求項１２】
前記制御手段は、予め定められた複数の輝度を示す前記グラフィカルユーザーインターフェース画像を前記表示手段に表示し、
前記グラフィカルユーザーインターフェース画像において、前記予め定められた複数の輝度のうち、前記付加情報に基づく輝度よりも高い輝度に関連付けられるように、前記付加情報に基づく輝度が示される
ことを特徴とする請求項１〜６のいずれか１項に記載の制御装置。
【請求項１３】
前記グラフィカルユーザーインターフェース画像において、前記付加情報に基づく輝度よりも高い輝度が前記付加情報に基づく輝度に制限されることが示されるように、前記付加情報に基づく輝度が示される
ことを特徴とする請求項１２に記載の制御装置。
【請求項１４】
前記表示対象の輝度レンジの最大輝度を設定する設定手段、をさらに備え、
前記付加情報に基づく輝度が前記表示対象の輝度レンジの最大輝度として設定されている場合に、前記設定手段は、前記付加情報に基づく輝度が前記表示対象の輝度レンジの最大輝度として設定され続けるように、前記付加情報に基づく輝度の変化に応じて、前記表示対象の輝度レンジの最大輝度を変更する
ことを特徴とする請求項１〜１３のいずれか１項に記載の制御装置。
【請求項１５】
表示対象の輝度レンジを設定するためのグラフィカルユーザーインターフェース画像を表示手段に表示する制御ステップと、
入力画像データに付加された情報であり、且つ、前記入力画像データによって表された入力画像の上限輝度または最大輝度に関する情報である付加情報を取得する取得ステップと、
を有し、
前記制御ステップでは、前記付加情報に基づく輝度を識別可能な前記グラフィカルユーザーインターフェース画像を前記表示手段に表示する
ことを特徴とする制御方法。
【請求項１６】
コンピュータを、請求項１〜１４のいずれか１項に記載の制御装置の各手段として機能させるためのプログラム。
【請求項１７】
コンピュータを、請求項１〜１４のいずれか１項に記載の制御装置の各手段として機能させるためのプログラムを格納したコンピュータが読み取り可能な記憶媒体。
【発明の詳細な説明】
【技術分野】
【０００１】
本発明は、表示対象の輝度レンジを設定するためのグラフィカルユーザーインターフェース画像の表示を制御する制御装置および制御方法に関する。
【背景技術】
【０００２】
広いダイナミックレンジ（輝度レンジ）を有する画像データ、いわゆるＨＤＲ（ハイダイナミックレンジ）画像データを扱う機会が増している。例えば、撮像装置の受光性能の向上に伴い、ＨＤＲ画像（輝度レンジが広い画像；ＨＤＲ画像データに対応する画像）を撮像可能な撮像装置が増している。
【０００３】
ＨＤＲ画像を撮像可能な撮像装置では、例えば、ＨＤＲ画像データとして、Ｌｏｇ特性に近い変換特性で輝度を階調値に変換した画像データが生成されて出力される。ＨＤＲ画像データでは、ＨＤＲ画像の輝度として、相対輝度が使用されることがある。
【０００４】
映画製作現場で使用される上記変換特性として、ダイナミックレンジが広いフィルムの特性に基づいて定められたＣｉｎｅｏｎ  Ｌｏｇがある。Ｃｉｎｅｏｎ  Ｌｏｇでは、リファレンスホワイトの相対輝度（基準の相対輝度）を１００％とした場合に、１０００％以上の相対輝度までの輝度レンジが使用される。
【０００５】
表示装置の表示性能も向上しており、数十万対１の広いコントラストや、数千カンデラの高輝度での表示が可能な表示装置が増している。例えば、液晶表示装置では、液晶パネルに光を照射するバックライトモジュールを使用したローカルディミング技術により、広いコントラストでの表示が実現できる。さらに、バックライトモジュールの発光輝度を高めることで、高輝度での表示も実現できる。
【０００６】
しかしながら、表示装置のダイナミックレンジ（表示輝度（表示面上の輝度）のレンジ）は、ＨＤＲ画像データのダイナミックレンジよりも狭いことがある。そのような場合には、ＨＤＲ画像データのダイナミックレンジの少なくとも一部について、ＨＤＲ画像データの輝度（ＨＤＲ画像データで使用（想定）される輝度）を忠実に表示できない。
【０００７】
特許文献１には、表示装置の表示性能に応じてＨＤＲ画像データの輝度に表示輝度を割り当てる技術が開示されている。
【先行技術文献】
【特許文献】
【０００８】
【特許文献１】特開２０１６−１７３４７７号公報
【発明の概要】
【発明が解決しようとする課題】
【０００９】
しかしながら、特許文献１に開示の技術では、ユーザー設定（表示対象の輝度レンジの設定）に依っては、ＨＤＲ画像データで使用されていない輝度レンジに表示輝度が非効率的に割り当てられ、全体的に暗い画像が表示されることがある。このような表示輝度の低下は、画像の暗部（低階調部）の視認性の低下をまねくため、好ましくない。特に、視環境が明るい場合には、上記視認性の低下が顕著に現れるため、上記表示輝度の低下は抑制すべきである。
【００１０】
本発明は、好適な輝度で画像が表示されるように表示対象の輝度レンジを設定する操作
を行いやすくする技術を提供することを目的とする。
【課題を解決するための手段】
【００１１】
本発明の第１の態様は、表示対象の輝度レンジを設定するためのグラフィカルユーザーインターフェース画像を表示手段に表示する制御手段と、入力画像データに付加された情報であり、且つ、前記入力画像データによって表された入力画像の上限輝度または最大輝度に関する情報である付加情報を取得する取得手段と、を備え、前記制御手段は、前記付加情報に基づく輝度を識別可能な前記グラフィカルユーザーインターフェース画像を前記表示手段に表示することを特徴とする制御装置である。
【００１２】
本発明の第２の態様は、表示対象の輝度レンジを設定するためのグラフィカルユーザーインターフェース画像を表示手段に表示する制御ステップと、入力画像データに付加された情報であり、且つ、前記入力画像データによって表された入力画像の上限輝度または最大輝度に関する情報である付加情報を取得する取得ステップと、を有し、前記制御ステップでは、前記付加情報に基づく輝度を識別可能な前記グラフィカルユーザーインターフェース画像を前記表示手段に表示することを特徴とする制御方法である。
【００１３】
本発明の第３の態様は、コンピュータを、上述した制御装置の各手段として機能させるためのプログラムである。本発明の第４の態様は、コンピュータを、上述した制御装置の各手段として機能させるためのプログラムを格納したコンピュータが読み取り可能な記憶媒体である。
【発明の効果】
【００１４】
本発明によれば、好適な輝度で画像が表示されるように表示対象の輝度レンジを設定する操作が行いやすくなる。
【図面の簡単な説明】
【００１５】
【図１】実施例１に係る表示システムの構成例を示すブロック図である。
【図２】実施例１に係る、相対輝度と絶対輝度の対応関係の一例を示す図である。
【図３】実施例１に係る、絶対輝度と階調値の対応関係の一例を示す図である。
【図４】実施例１に係る、階調値と入力輝度の対応関係の一例を示す図である。
【図５】実施例１に係る、入力輝度と表示輝度の対応関係の一例を示す図である。
【図６】実施例１に係るＧＵＩ画像の一例を示す図である。
【図７】実施例１に係るＧＵＩ画像の一例を示す図である。
【図８】実施例１に係るＧＵＩ画像の一例を示す図である。
【図９】実施例１に係る、入力輝度と表示輝度の対応関係の一例を示す図である。
【図１０】実施例２に係る表示システムの構成例を示すブロック図である。
【図１１】実施例２に係る、輝度情報の選択方法の一例を示す図である。
【図１２】絶対輝度と階調値の対応関係の一例を示す図である。
【図１３】相対輝度と絶対輝度の対応関係の一例を示す図である。
【図１４】画像データの絶対輝度と表示輝度の対応関係の一例を示す図である。
【図１５】画像データの絶対輝度と表示輝度の対応関係の一例を示す図である。
【図１６】画像データの絶対輝度と表示輝度の対応関係の一例を示す図である。
【発明を実施するための形態】
【００１６】
＜本発明により解決される課題＞
以下、本発明により解決される課題について説明する。
【００１７】
画像データ（画像信号）の伝送規格として、Ｒｅｃ．７０９などがある。しかしながら、Ｒｅｃ．７０９では、広いダイナミックレンジ（輝度レンジ）を有する画像データ、い
わゆるＨＤＲ（ハイダイナミックレンジ）画像データの伝送は想定されていない。Ｒｅｃ．７０９を用いた場合には、比較的狭いダイナミックレンジを有する画像データしか伝送できない。ここで、ＨＤＲ画像データに基づく画像を表示するためにＨＤＲ画像データをＲｅｃ．７０９で表示装置に伝送する場合を考える。この場合には、ＨＤＲ画像データのダイナミックレンジをＲｅｃ．７０９で想定されたダイナミックレンジまで圧縮する必要がある。このため、表示装置に入力された画像データのダイナミックレンジ（圧縮後のダイナミックレンジ）が、表示装置のダイナミックレンジ（表示輝度（表示面上の輝度）のレンジ）よりも狭いことがある。そして、表示装置では、表示性能（表示装置のダイナミックレンジ）の一部しか画像の表示に使用されないことがある（輝度レンジのロスの発生）。つまり、Ｒｅｃ．７０９を用いた場合には、好適なダイナミックレンジを有する画像データを表示装置に入力できないことがある。
【００１８】
そこで、ＨＤＲ画像データの伝送規格として、ＳＭＰＴＥ  ＳＴ  ２０８４規格（ＳＴ２０８４規格）などが提案されている。ＳＴ２０８４規格を用いた場合には、図１２に示すように、ＨＤＲ画像データの絶対輝度（ＨＤＲ画像データで使用（想定）される絶対輝度）０〜１００００ｎｉｔが１０ビットの階調値０〜１０２３にＬｏｇ特性で変換される。
【００１９】
ＨＤＲ画像データでは、ＨＤＲ画像（輝度レンジが広い画像；ＨＤＲ画像データに対応する画像）の輝度として、絶対輝度ではなく、相対輝度が使用されることがある。相対輝度から絶対輝度への変換の方法の一例を図１３に示す。図１３では、絶対輝度が相対輝度に比例する線形特性で、リファレンスホワイトの相対輝度（基準の相対輝度）である１００％が１００ｎｉｔに変換され、１００００％が１００００ｎｉｔに変換される。
【００２０】
ＳＴ２０８４規格では１００００ｎｉｔまでの輝度レンジが定義されているが、１００００ｎｉｔまでの輝度レンジを表示可能な表示装置は少ない。このため、表示装置の表示性能に応じてＨＤＲ画像データの絶対輝度に表示輝度を割り当てる技術が提案されている。
【００２１】
図１４，１５は、ＨＤＲ画像データの絶対輝度に表示輝度を割り当てる方法の一例を示す。図１４，１５は、表示装置のダイナミックレンジが０〜１０００ｎｉｔの輝度レンジである場合の例を示す。
【００２２】
図１４では、１０００ｎｉｔ以下の絶対輝度には、当該絶対輝度と等しい表示輝度が割り当てられる。そして、１０００ｎｉｔよりも高い絶対輝度には、１０００ｎｉｔの表示輝度が割り当てられる（クリップ）。つまり、ＨＤＲ画像データのダイナミックレンジにおける０〜１０００ｎｉｔの輝度レンジが表示対象とされる。図１４の方法によれば、ＨＤＲ画像データの複数の絶対輝度のうち、１０００ｎｉｔ以下の絶対輝度を忠実に表示できる。
【００２３】
図１５では、０ｎｉｔから１００００ｎｉｔまでの絶対輝度の増加に対して、表示輝度が０ｎｉｔから１０００ｎｉｔまで線形に増加するように、絶対輝度に表示輝度が割り当てられる。つまり、ＨＤＲ画像データのダイナミックレンジ（０〜１００００ｎｉｔ）の全体が表示対象とされる。図１５の方法によれば、ＨＤＲ画像データの絶対輝度よりも低い表示輝度での表示が行われるが、ＨＤＲ画像データの全階調を確認することが可能となる。
【００２４】
ＨＤＲ画像データの絶対輝度に表示輝度を割り当てる方法、具体的には表示対象の輝度レンジは、ユーザー操作に応じて設定される。上述したように、ＳＴ２０８４規格では１００００ｎｉｔまでの輝度レンジが定義されている。しかしながら、ＨＤＲ画像を撮像す
る撮像装置の性能、ユーザー設定（ＩＳＯ感度などの撮像条件、上限輝度、等）、撮像シーン（被写体、撮像時刻、等）、等に依っては、ＨＤＲ画像データの最大輝度または上限輝度が１００００ｎｉｔよりも低いことがある。この場合に、表示装置のユーザー設定（表示対象の輝度レンジの設定）に依っては、ＨＤＲ画像データで使用されていない輝度レンジに表示輝度が非効率的に割り当てられ、全体的に暗い画像が表示されることがある。このような表示輝度の低下は、画像の暗部（低階調部）の視認性の低下をまねくため、好ましくない。
【００２５】
上限輝度は、ＨＤＲ画像データにおいて使用され得る輝度の範囲の上限値であるとする。例えば、ＨＤＲ画像データがＳＴ２０８４規格に準拠した画像データ形式で記録されているとする。ＳＴ２０８４規格に準拠した画像データ形式で記録されたＨＤＲ画像データでは１００００ｎｉｔまでの輝度を識別可能なように信号値を記録することが可能であるが、撮像装置もしくは編集装置の設定により、記録する輝度範囲に上限を設ける場合がある。撮像装置もしくは編集装置により設定されたＨＤＲ画像データにおいて使用され得る輝度の範囲の上限値を、上限輝度とする。
【００２６】
上限輝度は、撮像装置の撮像条件に連動して変化する。撮像装置に設定されたＩＳＯ感度が一定の範囲内において、ＩＳＯ感度が高いほど、画像データに記録可能な輝度の上限値は高くなる。例えば、撮像装置に設定されたＩＳＯ感度が１００の場合、記録可能な輝度の上限値（上限輝度）は１６０ｎｉｔである。また、撮像装置に設定されたＩＳＯ感度が８００以上の場合、上限輝度は１６００ｎｉｔである。したがって、撮像装置から出力されたＨＤＲ画像データに付加された当該ＨＤＲ画像データを取得したときの撮像装置のＩＳＯ感度を示す情報は、上限輝度を示す情報であるといえる。
【００２７】
また、最大輝度は、ＨＤＲ画像データに記録されている輝度の最大値であるとする。ＳＴ２０８４規格に準拠した画像データ形式で記録されたＨＤＲ画像データに含まれる複数の画素の輝度のうち、最大値が最大輝度である。
【００２８】
言い換えると、上限輝度は、ＨＤＲ画像データにおいて含まれ得る輝度の上限値であり、最大輝度は、ＨＤＲ画像データに含まれる輝度の最大値であるといえる。すなわち、ＳＴ２０８４規格に準拠した画像データ形式で記録されたＨＤＲ画像データには、ＳＴ２０８４規格に準拠したダイナミックレンジに対応しても、上限輝度以上のダイナミックレンジに対応する画素は存在しない。
【００２９】
ここで、ＨＤＲ画像データの上限輝度が１６００ｎｉｔであったとする。そして、ユーザーが、ＨＤＲ画像データの上限輝度が１６００ｎｉｔであることに気づかずに、ＳＴ２０８４規格の輝度レンジ（０〜１００００ｎｉｔ）を表示対象として指定したとする。この場合には、図１６に示すようにＨＤＲ画像データの上限輝度１６００ｎｉｔに表示輝度１６０ｎｉｔが割り当てられ、全体的に暗い画像が表示される。ＨＤＲ画像データで使用されている輝度レンジ（０〜１６００ｎｉｔ）に表示輝度を効率的に割り当て、全体的に明るい画像を表示するためには、０〜１６００ｎｉｔの輝度レンジを表示対象として設定することが好ましい。この場合には、ＨＤＲ画像データの上限輝度１６００ｎｉｔに上限表示輝度１０００ｎｉｔが割り当てられる。
【００３０】
そこで、以下で述べる実施例では、好適な輝度で画像が表示されるように表示対象の輝度レンジを設定する操作を行いやすくする。具体的には、ＨＤＲ画像データで使用されている輝度レンジを表示対象として設定する操作を行いやすくする。ＨＤＲ画像データで使用されている輝度レンジは、ＨＤＲ画像の上限輝度または最大輝度までの輝度レンジである。
【００３１】
＜実施例１＞
以下、本発明の実施例１に係る制御装置および制御方法について説明する。本実施例に係る制御装置および制御方法では、表示対象の輝度レンジを設定するためのＧＵＩ画像（グラフィカルユーザーインターフェース画像）の表示が制御される。以下では、本実施例に係る制御装置が表示装置である例を説明する。なお、本実施例に係る制御装置は、表示装置とは別体の装置（例えばパーソナルコンピュータ）であってもよい。
【００３２】
図１は、本実施例に係る表示システムの構成例を示すブロック図である。図１に示すように、本実施例に係る表示システムは、撮像装置１００と表示装置３００を有する。撮像装置１００は、ＨＤＲ画像を撮像し、当該ＨＤＲ画像を表すＨＤＲ画像データを表示装置３００に出力する。表示装置３００は、入力画像データ（撮像装置１００から出力されたＨＤＲ画像データ）に基づく画像、各種ＧＵＩ画像、等を表示面に表示する。なお、表示装置３００の入力画像データは、ＨＤＲ画像データでなくてもよい。表示装置３００の入力画像データは、静止画データであってもよいし、動画データであってもよい。
【００３３】
撮像装置１００の構成について説明する。撮像装置１００は、制御部１０１、撮像部１０２、現像部１０３、輝度変換部１０４、結合部１０５、及び、特性変換部１０６を有する。
【００３４】
制御部１０１は、撮像装置１００の各ブロックを制御する。例えば、制御部１０１は、撮像装置１００の各ブロックで使用されるパラメータを設定する。設定されるパラメータは、メーカーなどによって予め定められたパラメータであってもよいし、撮像装置１００において自動で決定されたパラメータであってもよいし、ユーザーによって指定されたパラメータであってもよい。設定されたパラメータは自動または手動で変更可能であってもよい。撮像装置１００の起動時には、制御部１０１は、撮像装置１００の不揮発性メモリ（不図示）に格納されたパラメータ（所定の初期パラメータ、または、前回設定されていたパラメータ）を、不揮発性メモリから読み出して設定する。
【００３５】
撮像部１０２は、撮像を行ってＲＡＷデータ１１０（被写体像（画像）を表す画像データ）を生成する。具体的には、撮像部１０２はレンズとイメージセンサ（例えばＣＭＯＳセンサ）を有し、レンズは被写体光（被写体からの光）をイメージセンサに照射し、イメージセンサはレンズから照射された被写体光を電気信号（ＲＡＷデータ１１０）に変換する。本実施例では、ＲＡＷデータ１１０は、リニア特性（階調値が輝度に比例する特性）を有するＲＧＧＢデータであり、ＲＡＷデータ１１０の階調値は、１６ビットの値である。撮像部１０２は、ＲＡＷデータ１１０を現像部１０３に出力する。
【００３６】
現像部１０３は、撮像部１０２から出力されたＲＡＷデータ１１０に現像処理を施して、相対輝度データ１１１を生成する。相対輝度データ１１１は、階調値が相対輝度（％）に対応する画像データであり、具体的には階調値が相対輝度で定義された画像データである。ＲＡＷデータ１１０から相対輝度データ１１１への変換の方法として、提案されている種々の方法を使用できる。本実施例では、相対輝度データ１１１は、リニア特性（階調値が相対輝度に比例する特性）を有するＲＧＢデータであり、相対輝度データ１１１の階調値は１６ビットの値である。さらに、本実施例では、相対輝度データ１１１では０〜１６００％の輝度レンジが使用される。相対輝度データ１１１で使用される輝度レンジは、メーカーなどによって予め定められた輝度レンジであってもよいし、撮像装置１００において自動で決定された輝度レンジであってもよいし、ユーザーによって指定された輝度レンジであってもよい。例えば、相対輝度データ１１１で使用される輝度レンジは、ＩＳＯ感度などの撮像条件に応じて決定されてもよい。相対輝度データ１１１で使用される輝度レンジは自動または手動で変更可能であってもよい。現像部１０３は、相対輝度データ１１１を輝度変換部１０４に出力する。
【００３７】
輝度変換部１０４は、相対輝度（％）から絶対輝度（ｎｉｔ）への変換を行って、現像部１０３から出力された相対輝度データ１１１を絶対輝度データ１１２に変換する。絶対輝度データ１１２は、階調値が絶対輝度に対応する画像データであり、具体的には階調値が絶対輝度（％）で定義された画像データである。図２は、相対輝度（％）から絶対輝度（ｎｉｔ）への変換の方法の一例を示す。図２では、絶対輝度が相対輝度に比例する線形特性で、リファレンスホワイトの相対輝度（基準の相対輝度）である１００％が１００ｎｉｔに変換され、１６００％が１６００ｎｉｔに変換される。なお、リファレンスホワイトの相対輝度は１００％でなくてもよいし、絶対輝度が相対輝度に比例しない非線形特性で相対輝度が絶対輝度に変換されてもよい。輝度変換部１０４は、絶対輝度データ１１２を結合部１０５に出力する。
【００３８】
結合部１０５は、制御部１０１から設定された上限輝度情報１１３と、輝度変換部１０４から出力された絶対輝度データ１１２とを結合して、結合データ１１４を生成する。結合は、１フレーム毎に行われてもよいし、数フレーム毎に行われてもよい。上限輝度情報１１３は、絶対輝度データの上限輝度を示す情報であり、相対輝度データ１１１で使用される輝度レンジ（相対輝度のレンジ）に応じて生成できる。上述したように、本実施例では、相対輝度データ１１１で使用される輝度レンジは、０〜１６００％の輝度レンジである。このため、上限輝度情報１１３は、相対輝度１６００％に応じた絶対輝度１６００ｎｉｔを示す。なお、上限輝度情報１１３の代わりに、絶対輝度データ１１２の上限輝度または最大輝度に関する他の情報が使用されてもよい。例えば、絶対輝度データ１１２の最大輝度を示す情報、絶対輝度データ１１２に対応する撮像条件（ＩＳＯ感度など）を示す情報、等が使用されてもよい。結合部１０５は、結合データ１１４を特性変換部１０６に出力する。
【００３９】
特性変換部１０６は、ＨＤＲ画像データの伝送規格であるＳＴ２０８４規格に従って、結合データ１１４に含まれた絶対輝度データ１１２の階調特性を変換する。これにより、絶対輝度データ１１２はＳＴ２０８４データ３１１に変換される。具体的には、図３に示す変換特性で、絶対輝度データ１１２の階調特性が変換される。図３の変換特性は、０〜１００００ｎｉｔを１０ビットの階調値０〜１０２３に変換するＬｏｇ特性である。さらに、特性変換部１０６は、結合データ１１４のフォーマットをＳＤＩ（シリアル・デジタル・インターフェース）フォーマットに変換する。これらの処理により、結合データ１１４は、ＳＤＩデータ（ＳＤＩ信号）である伝送データ１５０に変換される。上限輝度情報１１３は伝送データ１５０のアンシラリー領域に格納され、ＳＴ２０８４データ３１１は伝送データ１５０の画像領域に格納される。特性変換部１０６は、伝送データ１５０を表示装置３００に出力する（ＳＤＩ伝送）。なお、撮像装置１００から表示装置３００への画像データの伝送は、ＳＤＩ伝送に限られず、ＨＤＭＩ伝送、ＬＡＮ経由のＩＰ伝送、等であってもよい。つまり、伝送データ１５０のフォーマットは、ＳＤＩフォーマットに限られず、ＨＤＭＩフォーマット、ＩＰフォーマット、等であってもよい。
【００４０】
表示装置３００の構成について説明する。表示装置３００は、制御部３０１、分離部３０２、特性変換部３０３、輝度変換部３０４、生成部３０５、合成部３０６、ガンマ変換部３０７、及び、表示パネル３０８を有する。
【００４１】
制御部３０１は、表示装置３００の各ブロックを制御する。例えば、制御部３０１は、表示装置３００の各ブロックで使用されるパラメータを設定する。設定されるパラメータは、メーカーなどによって予め定められたパラメータであってもよいし、表示装置３００において自動で決定されたパラメータであってもよいし、ユーザーによって指定されたパラメータであってもよい。設定されたパラメータは自動または手動で変更可能であってもよい。表示装置３００の起動時には、制御部３０１は、表示装置３００の不揮発性メモリ
（不図示）に格納されたパラメータ（所定の初期パラメータ、または、前回設定されていたパラメータ）を、不揮発性メモリから読み出して設定する。
【００４２】
分離部３０２は、撮像装置１００から出力された伝送データ１５０を、ＳＴ２０８４データ３１１（表示装置３００の入力画像データ）と、上限輝度情報１１３（入力画像データに付加された付加情報）とに分離する。具体的には、分離部３０２は、伝送データ１５０の画像領域からＳＴ２０８４データ３１１を抽出（取得）し、伝送データ１５０のアンシラリー領域から上限輝度情報１１３を抽出（取得）する。上述したように、上限輝度情報１１３は、入力画像（入力画像データによって表された画像；ＨＤＲ画像）の上限輝度を示す情報であるが、上限輝度情報１１３の代わりに、入力画像の上限輝度または最大輝度に関する他の情報が使用されてもよい。例えば、入力画像の最大輝度を示す情報、入力画像に対応する撮像条件（ＩＳＯ感度など）を示す情報、等が使用されてもよい。分離部３０２は、上限輝度情報１１３を制御部３０１に出力し、ＳＴ２０８４データ３１１を特性変換部３０３に出力する。
【００４３】
特性変換部３０３は、制御部３０１から設定された変換情報３１２（階調特性を変換するための変換特性を示す情報）に基づいて、ＳＴ２０８４データ３１１の階調特性を変換する。本実施例では、図４に示す変換特性に従って、Ｌｏｇ特性（輝度に対して階調値が対数的に変化する特性）を有するＳＴ２０８４データ３１１が、リニア特性（階調値が輝度に比例する特性）を有するリニアデータ３１３に変換される。図４の変換特性は、１０ビットの階調値０〜１０２３を絶対輝度（入力輝度）０〜１００００ｎｉｔに変換する特性であり、図３の変換特性の逆特性である。本実施例では、リニアデータ３１３は、階調値が絶対輝度（ｎｉｔ）に対応する画像データであり、具体的には階調値が絶対輝度で定義された画像データである。そして、リニアデータ３１３の階調値は１６ビットの値である。特性変換部３０３は、リニアデータ３１３を輝度変換部３０４に出力する。
【００４４】
輝度変換部３０４は、制御部３０１から設定されたレンジ情報３１５に基づいて、入力画像（リニアデータ３１３）の絶対輝度である入力輝度（ｎｉｔ）から表示輝度（ｎｉｔ）への変換を行い、リニアデータ３１３を表示輝度データ３１４に変換する。レンジ情報３１５は、対象レンジ（表示対象の輝度レンジ）を示す情報であり、具体的には対象レンジの最大輝度を示す情報である。対象レンジ、具体的には対象レンジの最大輝度は、ユーザーによって指定される。表示輝度データ３１４は、階調値が表示輝度に対応する画像データであり、具体的には階調値が表示輝度（ｎｉｔ）で定義された画像データである。図５は、入力輝度（ｎｉｔ）から表示輝度（ｎｉｔ）への変換の方法の一例を示す。図５では、入力輝度が絶対輝度に比例する線形特性で、対象レンジの最大輝度と等しい入力輝度が上限表示輝度に変換される。そして、対象レンジの最大輝度よりも高い入力輝度が、対象レンジの最大輝度と等しい入力輝度に制限され、上限表示輝度に変換される。図５は、対象レンジの最大輝度は１６００ｎｉｔであり、且つ、上限表示輝度は１０００ｎｉｔである例を示す。このため、１６００ｎｉｔ以上の入力輝度が上限表示輝度１０００ｎｉｔに変換される。輝度変換部３０４は、表示輝度データ３１４を合成部３０６に出力する。
【００４５】
生成部３０５は、ＧＵＩ画像（グラフィカルユーザーインターフェース画像）を表す各種ＧＵＩ画像データを生成可能である。本実施例では、生成部３０５は、対象レンジを設定するためのＧＵＩ画像を表すＧＵＩ画像データ３１７を生成し、合成部３０６に出力する。具体的には、生成部３０５は、上限輝度情報１１３（付加情報）に基づいて、上限輝度情報１１３によって示された輝度（入力画像の上限輝度）を識別可能なＧＵＩ画像を表すＧＵＩ画像データ３１７を生成する。なお、ＧＵＩ画像データ３１７によって表されるＧＵＩ画像では、付加情報（入力画像の上限輝度または最大輝度に関する付加情報）に基づく輝度が識別可能であればよく、入力画像の上限輝度とは異なる輝度が識別可能であってもよい。
【００４６】
合成部３０６は、輝度変換部３０４から出力された表示輝度データ３１４に、生成部３０５から出力されたＧＵＩ画像データ３１７を合成する。これにより、表示輝度データ３１４によって表された画像（対象画像）と、ＧＵＩ画像データ３１７によって表されたＧＵＩ画像とが配置された合成画像を表す合成画像データ３１８が生成される。対象画像とＧＵＩ画像の配置は、メーカーなどによって予め定められた配置であってもよいし、表示装置３００において自動で決定された配置であってもよいし、ユーザーによって指定された配置であってもよい。設定された配置は自動または手動で変更可能であってもよい。本実施例では、対象画像が表示面全体に表示され、且つ、ＧＵＩ画像が対象画像の一部に重ねて表示されるように、合成画像データ３１８が生成される。合成部３０６は、合成画像データ３１８をガンマ変換部３０７に出力する。
【００４７】
ガンマ変換部３０７は、合成部３０６から出力された合成画像データ（線形特性を有する画像データ）にガンマ変換を施して、表示パネル３０８（表示パネル３０８が有する表示素子）のガンマ特性に合った表示画像データ３１９を生成する。表示パネル３０８のガンマ特性は、表示パネル３０８が有する表示素子の種類などに依存する。ガンマ変換部３０７は、表示画像データ３１９を表示パネル３０８に出力する。
【００４８】
表示パネル３０８は、ガンマ変換部３０７から出力された表示画像データ３１９に基づく画像を表示面に表示する。例えば、表示パネル３０８は、複数の液晶素子を有する液晶パネル、複数の有機ＥＬ素子を有する有機ＥＬパネル、等である。光を透過して画像を表示する表示パネル（液晶パネルなど）を使用する場合には、表示パネルに光を照射する光源（バックライトモジュールなど）が必要となる。複数の表示素子（複数の液晶素子、複数の有機ＥＬ素子、等）は、例えば、マトリックス状に配置される。
【００４９】
生成部３０５の処理（ＧＵＩ画像データ３１７の生成）の具体例を説明する。ここでは、入力画像の上限輝度が１６００ｎｉｔであるとする。
【００５０】
本実施例では、生成部３０５は、図６に示すようなスクロールバーを表すＧＵＩ画像データ３１７を生成する。図６のスクロールバーは、対象レンジの最大輝度を指定および変更できるように構成されている。具体的には、図６のスクロールバーにおいて、対象レンジの最大輝度が示された位置には、対象レンジの最大輝度を示すアイテム６０１が描かれる。対象レンジの最大輝度は、ユーザーによって指定された輝度であり、レンジ情報３１５から判断できる。アイテム６０１の位置を変更する操作に応じて、レンジ情報３１５（対象レンジの最大輝度）が変更される。
【００５１】
具体的には、生成部３０５は、制御部３０１から設定されたレンジ情報３１５、上限輝度情報１１３、及び、方式情報３１６に応じて、ＧＵＩ画像データ３１７を生成する。方式情報３１６は、ＧＵＩ画像データ３１７の方式（態様）を示す情報である。生成部３０５は、方式情報３１６によって示された方式のＧＵＩ画像データ３１７を生成する。ＧＵＩ画像データ３１７の方式は、メーカーなどによって予め定められた方式であってもよいし、表示装置３００において自動で決定された方式であってもよいし、ユーザーによって指定された方式であってもよい。設定された方式は自動または手動で変更可能であってもよい。
【００５２】
方式１の場合は、生成部３０５は、図７（Ａ）に示すようなスクロールバーを表すＧＵＩ画像データ３１７を生成する。図７（Ａ）のスクロールバーは、入力画像の上限輝度（入力画像の上限輝度または最大輝度に関する付加情報に基づく輝度）よりも高い輝度までの特定の輝度レンジを示す。具体的には、スクロールバーの全長は、ＳＴ２０８４規格の輝度レンジ（０〜１００００ｎｉｔ）に対応する。
【００５３】
図７（Ａ）のスクロールバーにおいて、入力画像の上限輝度１６００ｎｉｔよりも低い輝度レンジは、当該輝度レンジにおける各輝度が対象レンジの最大輝度として選択可能であるように示される。そして、入力画像の上限輝度１６００ｎｉｔよりも高い輝度レンジは、当該輝度レンジにおける各輝度が対象レンジの最大輝度として選択不可能であるように示される。入力画像の上限輝度１６００ｎｉｔは、撮像装置１００において生成された付加情報である上限輝度情報１１３から判断される。なお、入力画像の上限輝度は、対象レンジの最大輝度として選択可能であることが好ましいが、対象レンジの最大輝度として選択不可能であってもよい。
【００５４】
このように、方式１の場合は、ユーザーは、入力画像の上限輝度よりも高い輝度を対象レンジの最大輝度として選択（指定）できない。これにより、入力画像で使用されていない輝度レンジに表示輝度が非効率的に割り当てられることを抑制でき、必要以上に暗い画像が表示されることを抑制できる。
【００５５】
方式２の場合は、生成部３０５は、図７（Ｂ）に示すようなスクロールバーを表すＧＵＩ画像データ３１７を生成する。図７（Ａ）と同様に、図７（Ｂ）のスクロールバーの全長は、ＳＴ２０８４規格の輝度レンジ（０〜１００００ｎｉｔ）に対応する。
【００５６】
図７（Ｂ）のスクロールバーにおいて、ＳＴ２０８４規格の輝度レンジは、当該輝度レンジにおける各輝度が対象レンジの最大輝度として選択可能であるように示される。これにより、ユーザーは、方式１などで選択できない輝度を、対象レンジの最大輝度として選択できる。
【００５７】
さらに、図７（Ｂ）のスクロールバーにおいて、入力画像の上限輝度が示された位置に、アイテム７０１が描かれる。これにより、ユーザーは、入力画像の上限輝度をアイテム７０１で容易に把握でき、好適な輝度を対象レンジの最大輝度として容易に選択できる。
【００５８】
方式３の場合は、生成部３０５は、図７（Ｃ）に示すようなスクロールバーを表すＧＵＩ画像データ３１７を生成する。図７（Ａ），７（Ｂ）とは異なり、図７（Ｃ）のスクロールバーは、入力画像の上限輝度までの特定の輝度レンジを示す。具体的には、図７（Ｃ）のスクロールバーの全長は、入力画像の輝度レンジ（０〜１６００ｎｉｔ）に対応する。これにより、入力画像の輝度レンジに対応するスクロールバーの長さが図７（Ａ），７（Ｂ）よりも長くなり、ユーザーは、入力画像の輝度レンジにおける所望の輝度を対象レンジの最大輝度として容易に選択できる。さらに、ユーザーは、入力画像の輝度レンジにおいて対象レンジの最大輝度が微調整されるように、対象レンジの最大輝度を選択できる。
【００５９】
なお、対象レンジを設定するためのＧＵＩ画像はスクロールバーに限られない。スクロールバーとは異なるＧＵＩ画像を表示するための他の方式がさらに使用されてもよい。他の方式は、例えば、予め定められた複数の輝度を対象レンジの最大輝度の候補として示すリストを表示するための以下の方式４，５である。以後、対象レンジの最大輝度の候補を「候補輝度」と記載する。
【００６０】
方式４の場合は、生成部３０５は、図８（Ａ）に示すようなリストを表すＧＵＩ画像データ３１７を生成する。図８（Ａ）では、予め定められた複数の候補輝度は、１０００ｎｉｔ、４０００ｎｉｔ、及び、１００００ｎｉｔである。
【００６１】
具体的には、予め定められた複数の候補輝度（１０００ｎｉｔ、４０００ｎｉｔ、及び、１００００ｎｉｔ）に入力画像の上限輝度が含まれている場合に、生成部３０５は、当
該予め定められた複数の候補輝度を示すリスト（図８（Ａ）の左側）を生成する。予め定められた複数の候補輝度に入力画像の上限輝度が含まれていない場合には、生成部３０５は、当該予め定められた複数の候補輝度と、入力画像の上限輝度とを示すリスト（図８（Ａ）の右側）を生成する。これにより、入力画像の上限輝度が対象レンジとして設定可能となる。そして、リストにおいて、入力画像の上限輝度は強調して示される。例えば、入力画像の上限輝度を示す文字列が太字で描かれ、他の候補輝度を示す文字列は細字で描かれる。これにより、ユーザーは、入力画像の上限輝度を容易に把握でき、入力画像の上限輝度を対象レンジの最大輝度として容易に選択できる。
【００６２】
方式５の場合は、生成部３０５は、図８（Ｂ）に示すようなリストを表すＧＵＩ画像データ３１７を生成する。具体的には、生成部３０５は、予め定められた複数の候補輝度（１０００ｎｉｔ、４０００ｎｉｔ、及び、１００００ｎｉｔ）に入力画像の上限輝度が含まれているか否かに依らず、当該予め定められた複数の候補輝度を示すリストを生成する。リストにおいて、予め定められた複数の候補輝度のうち、入力画像の上限輝度よりも高い候補輝度に関連付けられるように、入力画像の上限輝度が示される（図８（Ｂ）の右側）。予め定められた複数の候補輝度の全てが入力画像の上限輝度以下である場合には、リストにおいて入力画像の上限輝度は示されない（図８（Ｂ）の左側）。これにより、ユーザーは、入力画像の上限輝度を容易に把握でき、入力画像の輝度を対象レンジの最大輝度として容易に選択できる。
【００６３】
ここで、入力画像の上限輝度よりも高い候補輝度が選択された場合には、選択された候補輝度が対象レンジの最大輝度として設定されてもよいし、そうでなくてもよい。例えば、入力画像の上限輝度よりも高い候補輝度が選択された場合に、入力画像の上限輝度が対象レンジの最大輝度として設定されてもよい。そして、リストにおいて、入力画像の上限輝度よりも高い輝度が入力画像の上限輝度に制限されるようなクリップが行われることが示されるように、入力画像の上限輝度が示されてもよい。図８（Ｂ）の右側は、入力画像の上限輝度が１６００ｎｉｔである場合の例を示す。図８（Ｂ）の右側では、候補輝度４０００ｎｉｔまたは候補輝度１００００ｎｉｔが選択された場合に上記クリップが行われることが示されている。これにより、ユーザーは、クリップが行われるか否かを容易に把握できる。
【００６４】
以上述べたように、本実施例によれば、入力画像の上限輝度または最大輝度に関する付加情報が取得され、表示対象の輝度レンジを設定するためのＧＵＩ画像として、付加情報に基づく輝度を識別可能なＧＵＩ画像が表示される。これにより、好適な輝度で画像が表示されるように表示対象の輝度レンジを設定する操作が行いやすくなる。
【００６５】
なお、入力画像の上限輝度が対象レンジの最大輝度として設定されている場合に、入力画像の上限輝度が対象レンジの最大輝度として設定され続けるように、入力画像の上限輝度の変化に応じて対象レンジの最大輝度が自動で変更されてもよい。図９を用いて具体例を説明する。図９の左側に示すように、入力画像の上限輝度が１６００ｎｉｔであり、対象レンジの最大輝度として１６００ｎｉｔが設定されていたとする。このような設定は、例えば、入力画像の上限輝度までの階調を確認したい場合に行われる。そして、図９の左側に示すように、入力画像の上限輝度が３２００ｎｉｔに変化すると、対象レンジの最大輝度が３２００ｎｉｔに自動で更新される。これにより、入力画像の上限輝度が変化する度に対象レンジの最大輝度を指定しなおすといった煩雑な操作無しで、入力画像の上限輝度を対象レンジの最大輝度として設定し続けることができる。
【００６６】
＜実施例２＞
以下、本発明の実施例２に係る制御装置および制御方法について説明する。実施例１では、撮像装置に接続された表示装置の例を説明した。実施例２では、編集装置に接続され
た表示装置の例を説明する。なお、以下では、実施例１と異なる点（構成、処理、等）について詳しく説明し、実施例１と同じ点についての説明は省略する。
【００６７】
図１０は、本実施例に係る表示システムの構成例を示すブロック図である。図１０において、図１（実施例１）と同じブロックには図１と同じ符号が付されている。図１０に示すように、本実施例に係る表示システムは、編集装置２００と表示装置４００を有する。
【００６８】
編集装置２００の構成について説明する。編集装置２００は、記憶部２０１と読出部２０２を有する。
【００６９】
記憶部２０１は、画像データを記憶する。記憶部２０１は、例えば、ハードディスクドライブ、ソリッドステートドライブ、等である。本実施例では、記憶部２０１に格納された画像データは、ＳＴ２０８４規格の変換特性（図３）で変換されたＨＤＲ画像データであり、記憶部２０１に格納されたＨＤＲ画像データには付加情報が付加されている。本実施例では、付加情報は、ＳＴ２０９４規格で規定された情報であり、ＨＤＲ画像データの最大輝度と、ＨＤＲ画像データの過去の編集で使用されたリファレンスモニターの上限表示輝度とを示す。付加情報では、ＨＤＲ画像データの最大輝度として、シーン毎の最大輝度またはコンテンツ全体の最大輝度が示されている。本実施例では、フレーム毎に付加情報が付加されている。
【００７０】
なお、記憶部２０１は、編集装置２００に対して着脱可能な記憶装置であってもよい。編集装置２００は再生装置であってもよく、記憶部２０１は、Ｂｌｕ−ｒａｙディスク、ＤＶＤディスク、等であってもよい。
【００７１】
読出部２０２は、ユーザーからの指示に応じて、記憶部２０１に格納された画像データ２１１を選択して読み出し、画像データ２１１を伝送データ１５０として表示装置４００に出力する。画像データ２１１が動画データである場合には、ユーザーは読み出しの開始と終了を指示できる。本実施例では、動画データが読み出されて表示装置４００に出力されるとする。
【００７２】
表示装置４００の構成について説明する。表示装置４００は、制御部３０１、分離部３０２、特性変換部３０３、輝度変換部３０４、生成部３０５、合成部３０６、ガンマ変換部３０７、表示パネル３０８、選択部４０１、及び、補正部４０２を有する。
【００７３】
分離部３０２は、実施例１と同様に、伝送データ１５０を、ＳＴ２０８４データ３１１（表示装置４００の入力画像データ）と、入力画像データに付加された付加情報とに分離する。本実施例では、付加情報として、シーン毎の最大輝度またはコンテンツ全体の最大輝度を示す最大輝度情報４１１と、入力画像の過去の編集で使用されたリファレンスモニターの上限表示輝度（モニター輝度）を示すモニター輝度情報４１２とが取得される。通常、編集プロジェクト毎に１つのモニター輝度が決まり、フレーム間でモニター輝度は変化しない。
【００７４】
選択部４０１は、入力画像（フレーム）の切り替わりによる入力画像の最大輝度の変化の大きさに応じて、最大輝度情報４１１またはモニター輝度情報４１２を選択し、選択輝度情報４１３として補正部４０２に出力する。「入力画像（フレーム）の切り替わりによる入力画像の最大輝度の変化の大きさ」は、「フレーム間における入力画像の最大輝度の差分の大きさ」とも言える。入力画像の最大輝度は、最大輝度情報４１１から判断される。本実施例では、図１１に示すように、最大輝度情報４１１またはモニター輝度情報４１２が選択される。
【００７５】
ここで、実施例１の上限輝度情報１１３の代わりに最大輝度情報４１１が使用される場合を考える。入力画像の最大輝度の変化が閾値よりも大きい場合には、対象レンジを設定するためのＧＵＩ画像の状態（スクロールバーで示された輝度レンジ（選択範囲）、各種輝度を示すアイテムの位置、等）が大きく変化し、対象レンジの設定操作が行い難い。一方で、入力画像の最大輝度の変化が閾値よりも小さい場合には、ＧＵＩ画像の状態の大きな変化は発生せず、対象レンジの設定操作（対象レンジを設定するためのユーザー操作）が行い難くなることは無い。
【００７６】
このため、入力画像の最大輝度の変化が閾値よりも大きい場合には、最大輝度情報４１１を用いずに、モニター輝度情報４１２を用いてＧＵＩ画像が生成されるように、選択部４０１はモニター輝度情報４１２を選択する。これにより、シーンの変化に追従するようにＧＵＩ画像の状態を変えることはできないが、ＧＵＩ画像の状態の大きな変化を抑制できる。一方で、入力画像の最大輝度の変化が閾値よりも小さい場合には、モニター輝度情報４１２を用いずに、最大輝度情報４１１を用いてＧＵＩ画像が生成されるように、選択部４０１は最大輝度情報４１１を選択する。これにより、ＧＵＩ画像の状態の大きな変化が発生することなく、シーンの変化に追従するようにＧＵＩ画像の状態を変えることができる。
【００７７】
実施例１では、付加情報に基づく輝度として、入力画像の上限輝度を使用した。補正部４０２は、選択輝度情報４１３を用いて、付加情報に基づく輝度を決定する。本実施例では、補正部４０２は、付加情報に基づく輝度の変化が低減されるように選択輝度情報４１３（選択した輝度；入力画像の最大輝度またはリファレンスモニターの上限表示輝度）を補正して、補正輝度情報４１４（付加情報に基づく輝度）を決定する。例えば、補正部４０２は、選択輝度情報４１３に時間方向のフィルタをかけることにより、補正輝度情報４１４を生成する。具体的には、補正部４０２は、現フレームの選択輝度情報４１３によって示された輝度と、１フレーム前の選択輝度情報４１３または補正輝度情報４１４によって示された輝度との平均輝度を示す情報を、現フレームの補正輝度情報４１４として決定する。補正輝度情報４１４は、生成部３０５において、実施例１の上限輝度情報１１３の代わりに使用される。補正輝度情報４１４の変化を低減することにより、対象レンジを設定するためのＧＵＩ画像の状態の変化をより抑制することができる。
【００７８】
以上述べたように、本実施例でも、入力画像の上限輝度または最大輝度に関する付加情報が取得され、表示対象の輝度レンジを設定するためのＧＵＩ画像として、付加情報に基づく輝度を識別可能なＧＵＩ画像が表示される。これにより、好適な輝度で画像が表示されるように表示対象の輝度レンジを設定する操作が行いやすくなる。
【００７９】
さらに、本実施例によれば、入力画像の最大輝度の変化の大きさに応じて、入力画像の最大輝度またはリファレンスモニターの上限表示輝度が選択されて使用される。これにより、対象レンジを設定するためのＧＵＩ画像の状態の変化を好適に抑制したり、対象レンジを設定するためのユーザー操作が行い難くなることを防いだりできる。
【００８０】
なお、実施例１，２（図１，１０）の各ブロックは、個別のハードウェアであってもよいし、そうでなくてもよい。２つ以上のブロックの機能が、共通のハードウェアによって実現されてもよい。１つのブロックの複数の機能のそれぞれが、個別のハードウェアによって実現されてもよい。１つのブロックの２つ以上の機能が、共通のハードウェアによって実現されてもよい。また、各ブロックは、ハードウェアによって実現されてもよいし、そうでなくてもよい。例えば、装置が、プロセッサと、制御プログラムが格納されたメモリとを有していてもよい。そして、装置が有する少なくとも一部のブロックの機能が、プロセッサがメモリから制御プログラムを読み出して実行することにより実現されてもよい。
【００８１】
なお、実施例１，２（上述した変形例を含む）はあくまで一例であり、本発明の要旨の範囲内で実施例１，２の構成を適宜変形したり変更したりすることにより得られる構成も、本発明に含まれる。実施例１，２の構成を適宜組み合わせて得られる構成も、本発明に含まれる。例えば、実施例１，２で述べた各種ビット数、各種特性、各種輝度レンジ、各種フォーマット、等は、一例に過ぎず、特に限定されるものではない。
【００８２】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８３】
３００，４００：表示装置  ３０２：分離部  ３０５：生成部
【図１】
2020127068.tif 000003
【図２】
2020127068.tif 000004
【図３】
2020127068.tif 000005
【図４】
2020127068.tif 000006
【図５】
2020127068.tif 000007
【図６】
2020127068.tif 000008
【図７】
2020127068.tif 000009
【図８】
2020127068.tif 000010
【図９】
2020127068.tif 000011
【図１０】
2020127068.tif 000012
【図１１】
2020127068.tif 000013
【図１２】
2020127068.tif 000014
【図１３】
2020127068.tif 000015
【図１４】
2020127068.tif 000016
【図１５】
2020127068.tif 000017
【図１６】
2020127068.tif 000018